(57)【要約】  寿命が長く、省電力化を図れるＬＥＤの光を有効に利用し、かつ、照明する商品に応じて、赤味系などの色合いを増加させることができながら、違和感を生じさせないようにＬＥＤを配列した照明装置を提供する。  断面がほぼ四角形状で、一面に長手方向に沿った開口部１１が形成された筒状体１で、開口部１１と対向する底面１４側に、開口部１１に向けて発光する光を放射するように、複数個の白色光を発光する第１のＬＥＤ２Ｗが筒状体１の長手方向に沿って設けられている。また、少なくとも一方の側壁１２側に、その側壁１２と対向する側壁１３に向けて光を放射するように、複数個の赤色系及び／又は緑色系の光を発光する第２のＬＥＤ２Ｒ、２Ｇが、筒状体１の長手方向に配列して設けられている。さらに、第２のＬＥＤ２Ｒ、２Ｇの発光を制御する制御手段が設けられている。
2009034755.tif 000002
【特許請求の範囲】
【請求項１】
断面がほぼ四角形状で、一面に長手方向に沿った開口部が形成された筒状体と、
この筒状体の前記開口部と対向する底面側の長手方向に、光を前記開口部に向けて放射するように配列された複数個の白色光を発光する第１の半導体発光素子と、
前記筒状体の前記開口部を有する一面と隣接する一対の側壁のうち、少なくとも一方の側壁の長手方向に、この一方の側壁と対向する他方の側壁に向けて光を放射するように配列された複数個の赤色系及び／又は緑色系の光を発光する第２の半導体発光素子と、
この第２の半導体発光素子の発光する光の強度及び／又はオンオフを制御する制御手段とを
有することを特徴とした照明装置。
【請求項２】
前記第２の半導体発光素子を覆うとともに、前記第２の半導体素子と対向する側壁側は前記開口部側に反射させやすい傾斜面とした反射シートを、前記筒状体の底面及び一対の側壁を覆うように配置し、
かつ、前記第２の半導体発光素子を覆う部分には、この半導体発光素子の光を放射し得る貫通孔を形成したことを特徴とする請求項１記載の照明装置。
【請求項３】
前記第２の半導体発光素子及び前記筒状体の底面及び一対の側壁を覆うように反射シートを配置するとともに、この反射シートの開口部側に導光板を配置し、
かつ、前記導光板の一端を前記第２の半導体発光素子に近接させ、前記第２の半導体発光素子からの光を、前記導光板を介して前記反射シートの開口部全面に導光することを特徴とした請求項１記載の照明装置。
【請求項４】
前記白色光を発光する第１の半導体発光素子が、少なくとも二列で前記筒状体の長手方向に配列され、この少なくとも二列の前記第１の半導体発光素子間の間隔と前記第１の半導体発光素子の長手方向のピッチがほぼ同じで、
かつ、前記第１の半導体発光素子の発光面から前記筒状体の開口部に配置した光拡散板までの距離が、前記第１の半導体発光素子のピッチとほぼ同じかそれ以上の距離であることを特徴とした請求項１〜３のいずれかに記載の照明装置。
【請求項５】
前記筒状体の長手方向両端部に、陳列棚の棚板を支えるブラケットに係止するブラケットフックを移動可能に取り付けた請求項１〜４のいずれかに記載の照明装置。
【発明の詳細な説明】
【技術分野】
【０００１】
本発明は、たとえばスーパーマーケットやコンビニエンスストアなどで、多数の販売用商品を陳列棚に並べて販売する場合などに好適な、細長い棚板上に陳列される商品に効果的な照明をすることができる照明装置に関する。さらに詳しくは、安価な白色発光の半導体発光素子（以下、ＬＥＤともいう）を光源として用いて省電力化を図りながら、陳列する商品に応じ、赤色系や緑色系などの色味を加えることが可能な陳列棚用の照明装置に関する。
【背景技術】
【０００２】
スーパーマーケットやコンビニエンスストアなどで棚板上に商品を陳列して販売する場合の棚板の大きさは、一般的には奥行きが３０〜５０ｃｍ程度で、長さが６０〜１２０ｃｍ程度である。このため、従来は、上段の棚板の裏側に、蛍光灯の直管（以下、蛍光管ともいう）を１本又は２本並列に、棚板の長さに合う分だけ縦に並べることにより、下段の棚板上の商品を見やすくする構成となっている。【０００３】
また、光源としてＬＥＤを利用するとともに、棚板の裏側への照明器具の着脱を容易にするため、磁石により着脱する構造のものも知られている（たとえば特許文献１参照）。
【特許文献１】特開２００７−２６７２０号公報
【発明の開示】
【発明が解決しようとする課題】
【０００４】
このように、陳列棚の商品を目立ちやすくするための従来の照明装置としては、上段の棚板の裏側に蛍光管やＬＥＤを取り付ける構造が知られている。しかし、蛍光管などを用いると、熱の発生が多く消費電力が増大するため、地球温暖化対策の観点からも低消費電力化が要求される。また、蛍光管の寿命も限られているため、メンテナンスに費用がかかるという問題を有している。さらに、蛍光灯は、ＬＥＤなどと比べて紫外線が強いため、陳列品が衣料品などの場合は、繊維が劣化したり色が変色したりするなど、商品の品質を損ねるという問題も有している。【０００５】
一方、照明装置としてＬＥＤを用いると、次のような問題がある。
すなわち、現在一般的に市販されている白色発光のＬＥＤは、たとえば青色などの光を発光するＬＥＤチップに、白色に変換する発光色変換物質（蛍光物質）を含有する樹脂などを塗布することにより白色にしている。このため、光に青味成分が強く、鯖などの青魚の照明には鮮度が向上して見えるので好ましいが、赤味系の魚や、果物、あるいは衣類の照明などに用いると商品の色がくすんで見え、購買意欲を減退させるという問題がある。【０００６】
また、ＬＥＤを光源として用いる場合、その光を有効に利用して少ない数のＬＥＤ（少ない消費電力）で大きな照度が得られるようにするには、直接商品側にＬＥＤの光を放射することが好ましい。しかしながら、ＬＥＤは発光源がほとんど点状であるため、商品にビニール袋や金属などの反射しやすい物質があると、光源が映り込んで点状の反射光が目に入りやすくて商品を見づらくする。【０００７】
また、蛍光管などを陳列棚の棚板裏面に固定していると、棚板の取外しや取替えなどの際に出っ張り部分があり、非常に取扱いが困難になるという問題がある。また、磁石により着脱自在にする構造にしても、棚板を鉄製品によって形成しなければならず、棚板自身の重量が大きくなる。このため、蛍光管による照明装置を、スーパーマーケットなどの大量に商品を陳列するところに用いると、非常に取扱いが困難であるとともに、コストアップになるという問題がある。【０００８】
本発明は、このような問題を解決するためになされたもので、寿命が長く、省電力化を図れる半導体発光素子を用いながら、半導体発光素子の光を有効に利用し、かつ、照明する商品に応じて、赤系、緑系などの色合いを増加させることができる照明装置の提供を目的とする。【０００９】
本発明の他の目的は、半導体発光素子の光を有効に利用し、少ない消費電力で大きな照度が得られるようにしながら、半導体発光素子の光源がスポット的に商品などに映り込まないようにした照明装置を提供することにある。【００１０】
本発明のさらに他の目的は、棚板の裏面に照明装置を固定することなく、簡単な構成で陳列棚の棚板裏面側に配置できる照明装置を提供することにある。
【課題を解決するための手段】
【００１１】
本発明による照明装置は、断面がほぼ四角形状で、一面に長手方向に沿った開口部が形成された筒状体と、この筒状体の前記開口部と対向する底面側の長手方向に、光を前記開口部に向けて放射するように配列された複数個の白色光を発光する第１の半導体発光素子と、前記筒状体の前記開口部を有する一面と隣接する一対の側壁のうち、少なくとも一方の側壁の長手方向に、この一方の側壁と対向する他方の側壁に向けて光を放射するように配列された複数個の赤色系及び／又は緑色系の光を発光する第２の半導体発光素子と、この第２の半導体発光素子の発光する光の強度及び／又はオンオフを制御する制御手段とを有する構成としてある。【００１２】
ここに断面がほぼ四角形状とは、半導体発光素子を配置し得る部分と光の放射面とがほぼ四角形状という意味で、外形形状で装飾的に丸みを帯びているとか、出っ張り部分があるとか、側壁の一部に欠落部が形成されているような構造も含む意味である。
また、赤色系とは、赤色以外に橙色など、赤色に近い色の光を含み、緑色系とは、緑色以外に、黄色などに近い色も含み、白色以外の色を含む意味である。したがって、たとえば赤色と橙色のＬＥＤの組合せなど、白色以外の任意の発光色のＬＥＤ又はそれらの組合せを第２の半導体素子とすることもできる。【００１３】
また、本発明は、第２の半導体発光素子を覆うとともに、前記第２の半導体発光素子と対向する側壁側は前記開口部側に反射させやすい傾斜面とした反射シートを、前記筒状体の底面及び一対の側壁を覆うように配置し、かつ、前記第２の半導体発光素子を覆う部分には、この半導体発光素子の光を放射し得る貫通孔を形成した構成とすることができる。
このようにすると、第２の半導体発光素子の光が、光反射シートによって効率よく反射し、間接光となって開口部から放射される。また、第２の半導体発光素子の光が、スポット的にならないので、赤味などの色がスポット的に目立たつことなく、しかも無駄なく開口部側に反射させることができる。【００１４】
また、本発明は、第２の半導体発光素子及び前記筒状体の底面及び一対の側壁を覆うように反射シートを配置するとともに、この反射シートの開口部側に導光板を配置し、かつ、前記導光板の一端を前記第２の半導体発光素子に近接させ、前記第２の半導体発光素子からの光を、前記導光板を介して前記反射シートの開口部全面に導光する構成としてある。
このようにしても、第２の半導体発光素子の光が、導光板によって効率よく拡散・混色され、間接光となって開口部から放射され、また、赤味などの色がスポット的に目立たつことがない。【００１５】
また、本発明は、白色光を発光する第１の半導体発光素子が、少なくとも二列で前記筒状体の長手方向に配列され、この少なくとも二列の前記第１の半導体発光素子間の間隔と前記第１の半導体発光素子の長手方向のピッチがほぼ同じで、かつ、前記第１の半導体発光素子の発光面から前記筒状体の開口部に配置した光拡散板までの距離が、前記第１の半導体発光素子のピッチとほぼ同じかそれ以上の距離とした構成としてある。
このようにすると、第１の半導体発光素子からの白色光は直接商品側に放射され、反射光による無駄な反射や吸収による損失が発生するのを防止して発光する光を有効に商品に照射する。また、配列される第１の半導体発光素子のピッチと第１の半導体発光素子の発光面から光拡散板までの距離をほぼ等しいか、それ以上にすることにより、光拡散板から商品へは面状の光が放射され、商品にＬＥＤの点状の映り込みがない状態で光を照射することができる。この場合、１００〜１３０°の指向角のＬＥＤを用いれば、光拡散板上での光強度はほぼ面内で均一になるため、光拡散板の光拡散作用と相俟って、外部から光源（ＬＥＤ）側を見ても、ＬＥＤの発光輝点が殆ど目立つことはなくなる。【００１６】
また、本発明は、前記筒状体の長手方向両端部に、陳列棚の棚板を支えるブラケットに係止するブラケットフックを移動可能に取り付けた構成としてある。
このようにすると、棚板を支柱の所望の高さの位置に設けたブラケットに取り付ける前に、そのブラケットに本照明装置のブラケットフックを係止し、その上に棚板のブラケットフックを嵌め込むだけで、棚板の裏面に照明装置を取り付けることができる。また、取り外すときは別々に取り外すことができるため、非常に取扱いが容易になる。
【発明の効果】
【００１７】
本発明の照明装置によれば、ＬＥＤを用いることにより、光の減衰をまねくことなく、少ない消費電力でより大きな照度で商品を照射することができる。
また、本発明では、白色光を発光する第１の半導体発光素子とともに、赤色系の光を発光するＬＥＤなどの第２の半導体発光素子が設けられているため、安価な白色ＬＥＤを用いて明るい照度を得ながら、白色光のＬＥＤによる冷めた色ではなく、太陽光に近い演色性のある光で照射することができる。
しかも、この第２の半導体発光素子は、筒状体内の側壁側で反射させた間接光あるいは導光板を介した間接光として照射しているので、粗いピッチで設けても、筒状体の長手方向に沿って均一な照度（輝度）で商品に照射することができ、陳列商品の色味を損なうことがない。【００１８】
さらに、この赤色系ＬＥＤなど（第２の半導体発光素子）には、その輝度及び／又はオンオフを制御する制御手段が設けられており、その輝度などを調整することができるので、商品に応じて色味を調整することができる。すなわち、たとえば、鯖や鰯のような青味の強い魚などを照射する場合は、第２の半導体発光素子のスイッチをオフにして白色発光のＬＥＤだけで照射し、青味がかった照明をすることによって鮮度のよい新鮮な魚であることを強調することができる。一方、鯛やりんごなどの赤味がかった魚や果物などの商品に照射する場合は、青味がかった色の白色発光のＬＥＤだけで照射すると、くすんだ色になり、購買意欲も減退してしまう。そこで、この場合は、第２の半導体発光素子のスイッチをオンにして赤色系ＬＥＤなどを発光させ、かつ、必要に応じてその強さを調整することにより、商品の赤味をより一層引きたたせることができる。これにより、購買意欲をそそることができる。【００１９】
なお、第１の半導体発光素子を少なくとも二列で長手方向に配列し、その列の間隔と長手方向の白色ＬＥＤのピッチをほぼ等しくし、ＬＥＤの表面から光拡散板までの距離をピッチとほぼ等しいかそれ以上とすることにより、商品にビニールや金属などの光を反射しやすい物品があっても、ＬＥＤの光源が映り込まないようにしてある。したがって、第１の半導体発光素子から、反射光ではなく、直接光を商品に向けて放射させても眩しさはなく、ＬＥＤの光を有効に利用することができ、より一層省エネに寄与することができる。【００２０】
さらに、照明装置は、その両端部にブラケットに嵌め込み可能で移動自在なブラケットフックが取り付けてあるので、棚の長さに応じて、必要な長さになるまで筒状体を継ぎ足すことができる。また、照明装置は棚と別個の構成としてあるので、取り付け・取り外し及び運搬などの際には別々に取り扱うことができ、非常に取扱いが容易である。
【発明を実施するための最良の形態】
【００２１】
つぎに、図面を参照しながら本発明の実施形態にかかる照明装置について説明をする。
図１（ａ）は、本発明の一実施形態にかかる照明装置の一面側を開口した平面図、（ｂ）は同じく照明装置の横断面図を示す。
照明装置の本体は筒状体１となっており、断面がほぼ四角形状で、一面に、長手方向に沿った開口部１１が形成されている。この筒状体１の内部には、開口部１１と対向する底面１４側に、開口部１１に向けて光を放射するように、複数個の白色光を発光する第１の半導体発光素子（ＬＥＤ）２Ｗが長手方向に沿って設けられている。そして、開口部１１を有する一面に隣接する一方の側壁１２側には、その側壁１２と対向する側壁１３に向けて光を放射するように、複数個の赤色系及び／又は緑色系の光を発光する第２の半導体発光素子（ＬＥＤ）２Ｒ、２Ｇが、長手方向に配列されている。【００２２】
筒状体１は、たとえばアルミニウムなどの引抜きにより肉厚が１ｍｍ程度に形成され、０.６〜３ｍ、たとえば１ｍ程度の長さに形成されている。また、その幅Ｗは、２〜１５ｃｍ、たとえば７ｃｍ程度に、その厚さＨは、１.５〜２.５ｃｍ、たとえば２.３ｃｍ程度に、それぞれ形成される。
この筒状体１の長さは、陳列棚などの長さ（横に延びる方向の長さ）に応じて、必要とされる照明装置の長さに合せて形成され、その幅Ｗは、陳列棚の幅（奥行き）により決まる。  【００２３】
図１に示される例では、後述する第２の半導体発光素子２Ｒ、２Ｇが一方の側壁１２側のみに設けられ、他方の側壁１３側には、電源用コードなどを収納し得る空間部が設けられるとともに、その電源用コードを出し入れしやすいように他方の側壁１３の一部に切欠き部１３ａが形成されている。また、底面１４側及び一方の側壁１２側には、第１の半導体発光素子（ＬＥＤ）２Ｗを取り付ける第１の配線基板２６及び第２の半導体発光素子（ＬＥＤ）２Ｒ、２Ｇを取り付ける第２の配線基板２７をそれぞれ挿入し得るガイド１５、１６が形成されるとともに、開口部１１側には、光拡散板５を挿入し得るガイド１７が形成されている。
さらに、底面１４側の両側壁１２、１３側には、後述するブラケットフック６のガイド部６１を摺動し得るブラケットフックガイド溝１８が設けられており、また、筒状体１の長手方向両端部には、側面蓋１９が設けられ、閉塞されている。【００２４】
ＬＥＤ２（２Ｗ、２Ｒ、２Ｇ）としては、たとえば、図２（ａ）（ｂ）に示すような、リードフレームにより形成された二本のリード２１、２２の一方にＬＥＤチップ２３をマウントして、ワイヤ２４によりワイヤボンディングをし、その周囲をモールド樹脂２５によりモールドし、正面にレンズ２５ａを形成したチップ型ＬＥＤを用いることができる。
しかし、ＬＥＤ２としては、このような構造に限られず、正面にレンズのない構造のものでもよく、また、絶縁基板上にＬＥＤチップをマウントして樹脂で被覆する構造のチップ型発光素子でもよい。さら、ＬＥＤ２には、樹脂部をドーム状にしたランプ型のＬＥＤを用いたもの、横向きに光を放射するサイドビュータイプのもの、半導体ウェハからチップ化されたままのベアチップだけのもの、などを用いることもできる。
ただし、ＬＥＤ２の表面から光を放射するビームの指向角度は、白色発光のＬＥＤ２Ｗでは１００°〜１３０°程度、側壁側に設けられるＬＥＤ２Ｒ、２Ｇでは４５°〜６０°程度であることが好ましい。これは、ＬＥＤ２Ｗが、光反射シート４よりも開口部１１側に設けられており、光が直接商品側に放射される構成になっているのに対して、ＬＥＤ２Ｒ、２Ｇは、光反射シート４の裏側に設けられており、光が貫通孔４６を通過し、光反射シート４により反射しながら商品側に放射する構成になっているためである。しかし、これらの指向角度に限定されるものではない。【００２５】
また、第１の半導体発光素子である白色発光のＬＥＤ２Ｗとしては、青色又は紫外光のＬＥＤチップの表面を白色光に変換する物質（蛍光物質）を含有する樹脂で被覆したＬＥＤを用いるのが、Ｒ、Ｇ、ＢのＬＥＤを混ぜて組み込むよりも、安価で白色光を得ることができるため好ましい。
この白色発光のＬＥＤ２Ｗは、商品を照らすメインの光源として用いるもので、発光する光を無駄なく照明に利用することができるように、反射光ではなく、直接照明される商品側に向かうように、筒状体１の開口部１１に光が向かうように設けられている。【００２６】
ところで、反射光ではなく、直接光を照射すると、商品にビニールや金属などの反射しやすい物質があると、ＬＥＤの光源が映り込み、点状の反射光が生じるため、顧客の商品の観察の妨げとなる場合がある。
そこで、本照明装置では、ＬＥＤ２Ｗの配置を少なくとも二列とし、その列の間隔ｄと、筒状体１の長手方向に並ぶＬＥＤ２Ｗのピッチｐとをほぼ等しい１５ｍｍ程度としてある。さらに、ＬＥＤ２Ｗの表面から開口部１１に取り付けた光拡散板５までの距離を、ＬＥＤ２Ｗのピッチｐとほぼ等しい１５ｍｍ程度となるようにしてある。
なお、ＬＥＤ２Ｗの表面から開口部１１に取り付けた光拡散板５までの距離は、１５ｍｍ程度に限定されるものではなく、それ以上であってもよいが、照明装置の厚みとの関係で適切な距離が決定される。
このような構成にすることにより、光拡散板５上では、各ＬＥＤ２Ｗからの光の強さがほぼ等しくなって光拡散板５上にスポットができることがなくなり、商品に直接ＬＥＤ２Ｗの光源が映り込むこともなく、全く違和感が生じることなく、明るい照度を得ることができる。【００２７】
この白色発光のＬＥＤ２Ｗは、図３（ａ）に回路図を示すように、一列６個を一組として直列に接続し、２４Ｖの電圧が印加され、各組が２４Ｖの直流電圧に並列になるように接続されている。この一組ごとに、ＩＣと抵抗Ｒ１が接続されている。このＩＣは、ＬＥＤは温度上昇などにより電流が変動しやすいため、温度が変化しても定電流を維持するためのものである。また、抵抗Ｒ１は、各ＬＥＤの動作電圧にバラツキがあり、２４Ｖの電圧に合わない場合に各ＬＥＤに印加される電圧が所定電圧となるように調整するためのものである。
このＬＥＤ２Ｗは、配線が形成された第１の配線基板２６のスルーホールにＬＥＤ２Ｗのリード２１、２２が挿入されて、ハンダ付けなどにより接続されている。この第１の配線基板２６は、たとえば２８.５ｃｍの長さで、前述の６個組みが三組で二列、すなわち、３６個のＬＥＤ２Ｗが一基板に搭載されている。また、その両端部に相互に雄雌となる差し込み式のコネクタＣＮ１、ＣＮ２が形成されており、何個でも従属接続して筒状体１の長さに合せることができる。【００２８】
なお、第１の配線基板２６に流れる電流は２６〜３０ｍＡ程度であるため、第１の配線基板一枚の消費電力は３.７〜４.３Ｗとなる。従来の、２４Ｗの蛍光管一本による照明装置と同様の長さで同様の照度を得るためには、第１の配線基板２６が３枚分必要となる。しかし、第１の配線基板２６を３枚必要としても、そのときの消費電力は１１〜１３Ｗ程度であり、蛍光管の場合に比べて半分以下の電力で同程度の照度を得ることができる。【００２９】
また、本照明装置には、赤色系及び／又は緑色系の光を発光する第２の半導体発光素子２Ｒ、２Ｇが設けられている。
このように、第２の半導体発光素子を用意するのは、ＬＥＤ２Ｗだけの照明だと、白色光は演色性に乏しく、赤色を帯びた魚や果物などを照射する場合には、くすんだ色となって商品価値を低下させることがあるので、これを防止するためである。
すなわち、白色光だけではくすんだ色となって商品価値を低下させるような場合に、第２の半導体発光素子２Ｒ、２Ｇから赤色あるいは緑色の光を照射して商品の価値を向上させている。なお、第２の半導体発光素子２Ｒ、２Ｇは、赤色及び緑色のＬＥＤに限定されるものではなく、他の演色性のある発光色のＬＥＤを用いてもよい。また、第２の半導体発光素子２Ｒ、２Ｇは、異なった色の組み合わせでもよく、たとえば、赤色発光のＬＥＤと橙色発光のＬＥＤとを組み合せることもできる。【００３０】
第２の半導体発光素子であるＬＥＤ２Ｒ、２Ｇは、照度をアップさせるというよりはむしろ、光が照射される商品の色味を調整することにある。したがって、ＬＥＤ２Ｒ、２Ｇは、筒状体１の底面１４側に設けて直接商品側に照射するという構成ではなく、筒状体１内で反射させて間接光として商品などに照射するように、筒状体１の一方の側壁１２側に、他方の側壁１３側に向けて光を放射するように取り付けられている。
また、照度アップが目的ではないため、その個数も白色発光のＬＥＤ２Ｗより少なく、前述の白色発光ＬＥＤ２Ｗを取り付けてある第１の配線基板２６と同じ長さの第２の配線基板２７に、８個のＬＥＤ２Ｒ、２Ｇを赤、緑、赤、赤、緑、赤、赤、緑の順で取り付けてある。そして、図３（ｂ）の回路図に示すように、この８個のＬＥＤが直列に接続され、さらに２４Ｖの電源に接続されるようになっている。【００３１】
この第２の半導体発光素子は８個に限定されるものではないが、赤色系のＬＥＤ２Ｒと、緑色系のＬＥＤ２Ｇ及び白色発光のＬＥＤ２Ｗとでは、駆動電圧が異なり、電源電圧の２４Ｖ駆動に合うように、赤色系ＬＥＤ２Ｒ（駆動電圧２.２Ｖ）が５個と緑色系ＬＥＤ２Ｇ（駆動電圧３.５Ｖ）が３個接続されている。しかし、この組み合せに限定されるものではなく、前述のように、任意の発光色のＬＥＤを一種類又は二種類以上組み合せることができる。【００３２】
本実施形態の照明装置は、赤色系ＬＥＤ２Ｒ、及び緑色系ＬＥＤ２Ｇが、筒状体１の一方の側壁１２側に、他方の側壁１３に向けて光を放射するように設けられ、その反射光により商品を照射する構成とすることにより、ＬＥＤ２Ｒ、２Ｇの光源が光拡散板に映りこむこともない（光拡散板にスポット状の色がつかない）ようにしている。したがって、直接商品に赤色系や緑色系の光がスポット的に照射されることなく、商品全体の色味を変化させることができる。【００３３】
さらに、このＬＥＤ２Ｒ、２Ｇには、発光する光の強度及びオンオフを制御する制御手段３（図３（ｃ）参照）が設けられ、切替えスイッチにより制御することにより、照射する商品に応じて、その色味を調整することができるようになっている。
すなわち、図１（ａ）に示すように、筒状体１の長手方向両端部の一方に制御基板３１が設けられ、この制御基板３１には、図３（ｃ）に示すような回路が形成されている。この回路には、コネクタＣＮ６を介して外部から＋２４Ｖが印加される。そして、コネクタＣＮ６とコネクタＣＮ５との間には、ＯＦＦ端子と、抵抗Ｒ３−１を介した１５ｍＡ端子と、抵抗Ｒ３−２とＲ３−３との並列回路を介した３４ｍＡ端子とが設けられ、スライドスイッチＳＷにより、これらのうちのいずれかの端子とＩＣ３２に接続するコモン端子とを選択的に接続する制御手段３が構成してある。なお、ＩＣ３２は、電流を所定の電流に保持するためのものである。
コネクタ５が前述のＬＥＤ２Ｒ、２Ｇ用のコネクタＣＮ４に接続されることにより、各ＬＥＤ２Ｒ、２Ｇはオフか、１５ｍＡ又は３４ｍＡの電流に制御される。【００３４】
なお、この制御手段３のスイッチＳＷは、側面蓋１９から露出するように、筒状体１の空間部に設けられており、外部から簡単に切り替えられるようになっている。そして、スイッチＳＷによってオフを選択すれば、赤色系及び緑色系のＬＥＤが全く点灯せず、白色発光のＬＥＤ２Ｗのみで、青白い光により照射することになる。また、スイッチＳＷによって、１５ｍＡ端子の端子を選択すれば、赤色系ＬＥＤ２Ｒ及び緑色系ＬＥＤ２Ｇにより赤味や緑系の通常の演色性のある光によって商品を照射することになり、３４ｍＡを選択すれば、赤色系ＬＥＤ２Ｒ及び緑色系ＬＥＤ２Ｇの発光出力が大きくなって、より赤味や緑系の強い光を発光し、照射される商品の赤味などの色をより強調する照明になる。
なお、この制御手段３は、一例であって、たとえば、赤色系ＬＥＤ２Ｒと緑色系ＬＥＤ２Ｇとを別々にオンオフするなどの制御形態を採用することもできるし、電流値を変化させることによって、さらに細かく制御することもできる。【００３５】
本実施形態の照明装置における光反射シート４は、たとえば古河電気工業株式会社製の商品名ＭＣＰＥＴ（超微粒子発泡光反射板）、又は東レ株式会社製の商品名Ｅ６０（１８０μｍ程度厚のポリエステルの発泡シート）からなる光乱反射部材がアルミニウム板などに貼り付けられたものを用いている。
図４（ａ）〜（ｃ）に示すように、光反射シート4は、筒状体１の底面１４側に位置する部分がほぼ平坦面に形成され、一方の側壁１２側に位置する部分が垂直に形成され、一方の側壁と対向する側壁１３側に位置する部分が斜めの傾斜面４１で開口部１１側に延びる形状に形成されている。
この光反射シート４の底面１４側に位置する平坦部には、白色発光のＬＥＤ２Ｗの二本のリード２１、２２部分を逃げる貫通孔４２が形成されるとともに、前述のＩＣ及び抵抗Ｒ１が設けられている部分は隣接するＬＥＤ２Ｗ用の貫通孔と連通した大きな貫通孔４３が形成されている。さらに、端部の前述のコネクタＣＮ１、ＣＮ２に対応する部分にはそのコネクタ部分を逃げる切欠き部４４、４５が形成されている。【００３６】
また、一方の側壁１４側に位置する垂直な部分には、赤色系及び緑色系のＬＥＤ２Ｒ、２Ｇの位置に合せて、これらＬＥＤ２Ｒ、２Ｇからの光を放射するための円形状の貫通孔４６が形成されている。
その結果、ＬＥＤ２Ｒ、２Ｇからの光は、この貫通孔４６から光反射シート４の表面側に取り出され、傾斜面４１など、光反射シート４で反射しながら、開口部１１から無駄なく放射し得る構造に形成されている。【００３７】
また、白色発光のＬＥＤ２Ｗなどから放射された光の一部が、光拡散板５で反射して戻っても、光反射シート４で再度表面側に反射されて光拡散板５を透過して照明用の光として利用することができ、光の有効利用に寄与する。さらに、赤色系などのＬＥＤ２Ｒ、２Ｇから放射される光も、光反射シート４の側面側の部分及び底面側の平坦部により反射を繰り返しながら、光拡散板５を透過して間接光として商品側に放射される。
この光反射シート４も、前述の第１の配線基板２６の長さに合せて形成されている。【００３８】
図１に示す実施形態では、ＬＥＤ２Ｒ、２Ｇが一方の側壁１２側のみ設けてあるので、光反射シート４は他方の側壁１３側のみを傾斜面４１に形成し、一方の側壁側は垂直に立ち上がる形状になっている。しかし、両方の側壁１２、１３側にＬＥＤ２Ｒ、２Ｇを設ける場合には、両方の側壁とも傾斜面に形成し、光を有効に反射させて取り出しやすくすることが好ましい。
なお、この光反射シート４は必須ではなく、筒状体１の内部を高反射率に形成した場合には、光反射シート４を省略することも可能である。【００３９】
光拡散板５は、筒状体１の開口部１１に形成したガイド１７に嵌め込むことにより、開口部１１を閉塞する。この光拡散板５は、たとえば、３ｍｍ厚程度のアクリル樹脂（ＰＭＭＡ）、ポリエチレンテレフタレート（ＰＥＴ）、ポリカーボネートなどからなり、斜め方向からきた光でも表面であらゆる方向に均一に放射する機能を有している。この光拡散板５は、白色発光のＬＥＤ２Ｗの光源が商品などに点状に移り込まないよう拡散光とするために設けられている。
また、ＬＥＤ２Ｗの光は、商品に向かって直進するようにＬＥＤ２Ｗが筒状体１の底面１４側に設けられているため、光拡散板５が設けられても、余り減衰することなく利用することができる。特に、前述の光反射シート４が設けられていれば、光拡散板５により反射した光も底面１４側に反射して再度光反射シート４により開口部１１側に反射するため、殆ど損失なく利用することができる。【００４０】
なお、光拡散板５がＬＥＤ２Ｗと近い距離にあると、光拡散板５にＬＥＤ２Ｗの光源が映り込み、光拡散板５上にスポット状の明るい部分が生じ、そのスポット状の明るい部分が商品のビニールなど反射しやすい商品で反射する場合がある。しかし、前述のように、ＬＥＤ２Ｗの発光面から、ＬＥＤ２Ｗの配列のピッチｐと同程度以上の距離の位置になるように光拡散板５を設けることにより、光拡散板５上での輝度が均一になってスポット状の明るい部分ができないため、商品への映り込みを完全に防止することができる。【００４１】
また、この光拡散板５は、照明装置からの光が、商品を観る人間の目に直接入らないようにする機能をも有している。したがって、照明装置を陳列棚に取り付けたときに、光拡散板がなくても照明装置からの光が直接人間の目に入らない状態になっていれば、光拡散板５を省略することも可能である。また、光拡散板は、前述した３ｍｍ厚程度のアクリル樹脂（ＰＭＭＡ）、ポリエチレンテレフタレート（ＰＥＴ）、ポリカーボネートなどの板状のものに限られず、薄いビニールシート（ＦＦシート）などの光拡散シート又は乳白色シートを用いることが可能な場合もある。【００４２】
図５（ａ）及び（ｂ）は、本発明の他の実施形態を示すものである。
図５（ａ）に示す実施形態の照明装置も、開口部１１を有する一面に隣接する一方の側壁１２側には、その側壁１２と対向する側壁１３に向けて複数個の赤色系及び／又は緑色系の光を発光する第２の半導体発光素子（ＬＥＤ）２Ｒ、２Ｇが、長手方向に配列されている。そして、これら第２の半導体発光素子（ＬＥＤ）２Ｒ、２Ｇが光を放射する方向には、導光板８が配置されている。
すなわち、反射板４の開口側全面に、反射板４の平坦部と平行な状態で導光板８が配置されており、その導光板８の端縁から第２の半導体発光素子（ＬＥＤ）２Ｒ、２Ｇが放射する光を取り入れるようになっている。
このようにすると、第２の半導体発光素子（ＬＥＤ）２Ｒ、２Ｇからの光が導光板８の内部で拡散されて全面にいきわたり、白色光とともに（混色した状態で）商品に照射される。したがって、この場合も第２の半導体発光素子２Ｒ、２Ｇから赤色あるいは緑色の光を照射して商品の価値を向上させることができる。【００４３】
なお、この実施形態の場合も、第２の半導体発光素子２Ｒ、２Ｇは、赤色及び緑色のＬＥＤに限定されるものではなく、他の演色性のある発光色のＬＥＤを用いてもよい。また、第２の半導体発光素子２Ｒ、２Ｇは、異なった色の組み合わせでもよく、たとえば、赤色発光のＬＥＤと橙色発光のＬＥＤとを組み合せることもできる。
この実施形態においても反射板４を用いると効果的であるが、導光板８によっても、第１の半導体発光素子２Ｗからの白色光と第２の半導体発光素子２Ｒ、２Ｇからの赤色あるいは緑色を十分混色させることができるので、場合によっては、反射板４を省略することも可能である。【００４４】
導光板８としては、たとえば、４〜６ｍｍ厚程度の透明なアクリル樹脂板、ポリカーボネート等の樹脂や、ガラスなどを用いることができる。また、透明なアクリル樹脂板に発光物質などを混入させてもよく、また、透明なアクリル樹脂板の下面にシルク印刷加工等を施してもよい。
さらに、導光板８は、均一な厚さのものに限られることなく、第２の半導体発光素子２Ｒ、２Ｇから遠ざかるにしたがって、肉薄となるようにしたテーパ状のものであってもよい。
このようにすると、第２の半導体発光素子２Ｒ、２Ｇから照射された光が導光板８のテーパ内面において反射する際、入射角が臨界角度を超える光が生じる。この光は、導光板の内部において反射することなく導光板の表面から外部に飛び出し、第１の半導体発光素子２Ｗからの白色光と混色し、照明装置としての混色性を高める。この場合、肉厚部を６ｍｍ厚程度、肉薄部を２ｍｍ厚程度とすることが好ましい。【００４５】
上記実施形態にかかる照明装置は、筒状体１の両端部にブラケットフック６が設けられている。このブラケットフック６は、図６（ａ）〜（ｃ）に示すように、筒状体１の底面１４側の両側面１２、１３側に形成されているブラケットフックガイド溝１８（図１（ｂ）参照）に挿入し得るガイド部６１が両側に形成されるとともに、端部にフック部６２を有する構造になっている。
このブラケットフック６は、図７（ａ）（ｂ）に示すように、陳列棚の支柱７２に取り付けられるブラケット７３に、フック部６２を係止させることにより固定する。すなわち、二本の支柱７２にそれぞれブラケット７３を取り付けた後、照明装置の両端に位置するブラケットフック６のフック部６２をブラケット７３に係止して、照明装置をブラケット７３の間に取り付ける。その後、棚板７１の両端に設けられたフック部７１ａをブラケット７３に係止することによって、棚板７１を固定する。これにより、照明装置はブラケット７３から外れることなく、棚板７１の裏側に位置した状態で陳列棚に取り付けられる。【００４６】
なお、ガイド部６１が、筒状体１の底面１４側に形成されているブラケットフックガイド溝１８に挿入されているので、このガイド部６１をスライドさせることにより、棚板７１を保持する支柱７２の間隔に合せてフック部６２の位置を調整することができる。ここで、ガイド部６１の長さＬを、たとえば７ｃｍ程度に形成しておけば、両側で１４ｃｍ伸縮させることができ、支柱７２の間隔が少々変化していても、充分に対応することができる。
なお、６１ａは、ガイド部６１の機械的強度を上げるため、リブ加工を施して形成された凸状部である。【００４７】
本実施形態の照明装置によれば、筒状体１の両端にブラケットフック６２を設けることにより、照明装置７０を支柱７２に取り付けたブラケット７３に簡単に取り付けることができる。その結果、予め棚板７１の裏側に照明装置７０を取り付けておく必要がなく、棚板７１は棚板として、照明装置７０は照明装置として別々に扱うことができ、取扱いが容易でありながら、棚板７１の裏面に照明装置７０を、簡単かつ正確に取り付けることができる。【００４８】
長尺の照明装置が必要な場合には、ブラケットフックガイド溝１８に、ブラケットフックに代えて、図示しない継ぎ手を挿し込み、この継手によって二つの照明装置を連結する。このようにすると、任意の数の照明装置を連結することができ、棚板７１の長さに応じた寸法の照明装置を形成することができる。【００４９】
図１に示した照明装置の例では、ＬＥＤ２Ｒ、２Ｇが一方の側壁１２側のみに設けられ、他方の側壁１３側は光反射シート３が傾斜面を有するように折り曲げられているので、その裏面側に空間ができている。そのため、その空間内を電源コード（図示せず）などの収納スペースとして、筒状体１の長手方向中心部から電源コードを取り出せるようにしてある。その結果、コンセントが支柱のどちら側に形成されていても、簡単に電源に接続することができる。【００５０】
以上のように、本発明の照明装置によれば、ＬＥＤを用いて省電力化を測りながら、ＬＥＤの光を有効に利用しているため、充分な明るさの照明が得られる。さらに、赤色系及び／又は緑色系のＬＥＤがその光の強度及びオンオフを制御できるように設けられているので、商品に応じて、温かみのある照明や、涼しげな照明等、商品に好適な照明をすることができる。さらに、棚板を設けるブラケットに直接取り付ける構造になっているので、棚板の裏面に予め照明装置を取り付けておかなくても、簡単に棚板の裏面側に取り付けることができる。
【図面の簡単な説明】
【００５１】
【図１】本発明による照明装置の一実施形態を説明する図であり、（ａ）は照明装置の一面側を開口した平面図、（ｂ）は同じく照明装置の横断面図を示す。
【図２】照明装置のＬＥＤの構造例を説明する図であり、（ａ）概略構造図、（ｂ）はリードの斜視図である。
【図３】（ａ）（ｂ）は、ＬＥＤの結線例及び（ｃ）はＬＥＤ２Ｒ、２Ｇの制御手段の一例を示す回路図である。
【図４】図１（ａ）（ｂ）（ｃ）は、照明装置の光反射シートの一例の平面図、側面図、底面図である。
【図５】（ａ）（ｂ）は、本発明による照明装置の他の実施形態の横断面図である。
【図６】（ａ）（ｂ）（ｃ）は、照明装置のブラケットフックの平面図、側面図、正面図である。
【図７】（ａ）は照明装置を陳列棚に取り付けるときの説明図、（ｂ）は要部拡大図である。
【符号の説明】
【００５２】
１    筒状体
２    半導体発光素子（ＬＥＤ）
３    第２半導体発光素子の制御手段
４    光反射シート
５    光拡散板
６    ブラケットフック
11    開口部
12    側壁
13    側壁
14    底面
18    ブラケットフックガイド溝
19    側面蓋
2G    緑色系ＬＥＤ
2R    赤色系ＬＥＤ
2W    白色発光ＬＥＤ
26    第１の配線基板
27    第２の配線基板
31    制御基板
41    傾斜面
61    ガイド部
62    フック部
70    照明装置
71    棚板
72    支柱
73    ブラケット
【図１】
2009034755.tif 000003
【図２】
2009034755.tif 000004
【図３】
2009034755.tif 000005
【図４】
2009034755.tif 000006
【図５】
2009034755.tif 000007
【図６】
2009034755.tif 000008
【図７】
2009034755.tif 000009
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
断面がほぼ四角形状で、一面に長手方向に沿った開口部が形成された筒状体と、
この筒状体の前記開口部と対向する底面側の長手方向に、光を前記開口部に向けて放射するように配列された複数個の白色光を発光する第１の半導体発光素子と、
前記筒状体の前記開口部を有する一面と隣接する一対の側壁のうち、少なくとも一方の側壁の長手方向に、この一方の側壁と対向する他方の側壁に向けて光を放射するように配列された複数個の赤色系及び／又は緑色系の光を発光する第２の半導体発光素子と、
前記第２の半導体発光素子を覆うとともに、前記筒状体の底面及び一対の側壁を覆うように配置し、かつ、前記第２の半導体発光素子を覆う部分には、この半導体発光素子の光を放射し得る貫通孔を形成した反射シートと、
この第２の半導体発光素子の発光する光の強度及び／又はオンオフを制御する制御手段を有することを特徴とした照明装置。
【請求項２】
前記第２の半導体素子と対向する側壁側は前記開口部側に反射させやすい傾斜面としたことを特徴とする請求項１記載の照明装置。
【請求項３】
前記反射シートの開口部側に導光板を配置し、かつ、前記導光板の一端を前記第２の半導体発光素子に近接させ、前記第２の半導体発光素子からの光を、前記導光板を介して前記反射シートの開口部全面に導光することを特徴とした請求項１記載の照明装置。
【請求項４】
前記白色光を発光する第１の半導体発光素子が、少なくとも二列で前記筒状体の長手方向に配列され、この少なくとも二列の前記第１の半導体発光素子間の間隔と前記第１の半導体発光素子の長手方向のピッチがほぼ同じで、
かつ、前記第１の半導体発光素子の発光面から前記筒状体の開口部に配置した光拡散板までの距離が、前記第１の半導体発光素子のピッチとほぼ同じかそれ以上の距離であることを特徴とした請求項１〜３のいずれかに記載の照明装置。
【請求項５】
前記筒状体の長手方向両端部に、陳列棚の棚板を支えるブラケットに係止するブラケットフックを移動可能に取り付けた請求項１〜４のいずれかに記載の照明装置。
【国際調査報告】
2009034755.tif 000010
2009034755.tif 000011
2009034755.tif 000012
2009034755.tif 000013